(57)【要約】【課題】小型でメンテナンスが容易な水洗トイレで分離された主に液体を処理するフィルタユニット及びそれを用いる処理装置を提供する。【解決手段】処理水導入口２９から導入された液体をフィルタ２０で処理するにあたり、液体を下から上へと移動させる。このことにより、フィルタの目詰まりを防ぐことができる。このフィルタユニットを上下に重ねることにより、ポンプ等を省略可能なコンパクトなフィルタユニット群を得ることができる。更に、フィルタユニットを用いた液体処理装置を提供する。コンパクトで、効率的な液体処理装置が提供される。【選択図】図１
2007152166.tif 000002
【特許請求の範囲】
【請求項１】
主に液体を浄化処理するフィルタユニットであって、
処理すべき液体を導入する導入口と、
該導入口を有する容器と、
該容器の少なくとも一部の上面に位置し、前記液体を下から上へとフィルタ処理するフィルタを備えるフィルタ部と、を備え、
前記容器が、前記導入口及び前記フィルタ部を除いて実質的に密封状態にあることを特徴とするフィルタユニット。
【請求項２】
前記フィルタ部が前記導入口よりも上方にあることを特徴とする請求項１記載のフィルタユニット。
【請求項３】
更に、前記フィルタ部の上に前記液体がフィルタ処理されたものを保持する保持室と、
該保持室に連通する処理後の液体を排出する排出口とを備え、
前記排出口は、前記フィルタ部より上方にあることを特徴とする請求項１又は２記載のフィルタユニット。
【請求項４】
前記フィルタ部よりも上に、更に、もう１つのフィルタ部を備え、
前記保持室は、前記フィルタ部及び前記もう１つのフィルタ部以外には、実質的に密封状態にあることを特徴とする請求項１から３のいずれか記載のフィルタユニット。
【請求項５】
主に液体を浄化処理するフィルタユニットであって、
実質的に密封された容器と、
該容器に、処理される液体を導入する導入口と、
該容器に、処理後の液体を排出する排出口と、
該容器内であって、該導入口と該排出口の間に、下から上へと処理される液体が移動することによりフィルタ処理するフィルタ部と、を備えることを特徴とするフィルタユニット。
【請求項６】
前記容器内に、抗菌剤及び／又は浄化処理剤を、前記容器内に処理すべき液体であって前記フィルタによりフィルタ処理される前のものに接触するように備えることを特徴とする請求項１から５のいずれか記載のフィルタユニット。
【請求項７】
請求項１から６のいずれか記載のフィルタユニットを上下に複数連結したフィルタユニット群であって、
１のフィルタユニットにより処理された液体が、その上のフィルタユニットの前記導入口から導入されて処理されることを特徴とするフィルタユニット群。
【請求項８】
請求項１から６のいずれか記載のフィルタユニットを上下に複数連結したフィルタユニット群であって、
１のフィルタユニットにより処理された液体が、その下のフィルタユニットの前記導入口から導入されて処理されることを特徴とするフィルタユニット群。
【請求項９】
主に液体を浄化処理するフィルタユニットであって、
処理される液体をその自由液面が得られるように保持する容器と、
該容器の少なくとも一部を規定する壁であって、前記処理される液体の自由液面よりも高い壁と、
該壁を乗り越え、前記容器内から外へと延びる細孔通路と、を備え、
該細孔通路の容器内の端は、前記容器内で前記処理される液体に浸され、
該細孔通路の容器外の端は、前記処理される液体の自由液面より低い位置にあることを特徴とするフィルタユニット。
【請求項１０】
前記容器内に、抗菌剤及び／又は浄化処理剤を、前記容器内の処理すべき液体に接触するように備えることを特徴とする請求項９記載のフィルタユニット。
【請求項１１】
前記浄化処理剤は、活性炭を含むことを特徴とする請求項６又は１０記載のフィルタユニット。
【請求項１２】
請求項９又は１０記載のフィルタユニットで処理した液体を、前記導入口から導入することを特徴とする請求項１から６のいずれか記載のフィルタユニット。
【請求項１３】
請求項１から６、９から１２のいずれかに記載のフィルタユニットで処理した液体を更に逆浸透膜で処理して浄化する液体処理装置。
【発明の詳細な説明】
【技術分野】
【０００１】
本発明は、屎尿等を固液分離し、分離された液体（汚水）を処理するフィルタユニット及び液体処理装置に関する。
【背景技術】
【０００２】
近年トイレ は、住宅では自家用浄化槽で浄化した後一般下水へ流す形式から公共下水道の整備によって本格的な水洗トイレ が普及している。一方、レジャーキャンプや屋外作業などにおいて、特別なメンテナンスを必要とする事もなく、糞尿（又は屎尿）をバイオ処理するトイレが開発されている（例えば、特許文献１から３）。この様な簡易トイレは、手軽に運搬できしかも携帯できる利点からレジャーボートや屋外作業などにおいて、多く使用される傾向にある。
【０００３】
一方、簡易型の水洗トイレでは、処理槽を複数設け、沈殿等により固液分離を行った後、液体成分を適宜処理して、更に水洗用の水として再利用している（例えば、特許文献４）。
【０００４】
【特許文献１】特開２０００−３０８５９９号公報
【特許文献２】特開２００１−１２０４６０号公報
【特許文献３】特開２００１−２０４６５１号公報
【特許文献４】特開２０００−２５７１３３号公報
【０００５】
しかしながら、バイオ処理する簡易トイレ等では、使用後の毎回水洗できるほどの洗浄水を使用することができず、また、簡易型の水洗トイレでは、屎尿等の処理装置が大きくなる欠点がある。
【発明の開示】
【発明が解決しようとする課題】
【０００６】
上記のような問題点に鑑みて、本発明では、屎尿等の汚水の処理を行う装置を提供する。
【課題を解決するための手段】
【０００７】
本発明において、汚水など主に液体を処理する液体処理装置は、フィルタ等を通過させることにより、汚水などの液体を浄化するものである。このような汚水は、バイオ処理槽を含む水洗トイレにおいて生じ得る。該水洗トイレは、例えば、便器と、便器から屎尿及び洗浄水を排出する該便器に接続された管と、該管の排出口に接続された分離ユニットと、該分離ユニットに接続されるバイオ処理槽を備えてよい。また、前記管は、管中の屎尿又は洗浄水を検出するセンサを含むことができる。前記分離ユニットは、前記管から排出された屎尿及び洗浄水の混合物を受け入れるチャンバーと、該チャンバーに入った屎尿及び洗浄水の混合物を主に液体及び主に固体に分離するフィルタと、該フィルタにより分離された主に固体を排出する第１の排出口と、該フィルタにより分離された主に液体を排出する第２の排出口を含むことができる。そして、トイレの使用により、水栓を開ければ、前記センサが屎尿又は洗浄水を検出し、信号を発し、この信号に応じて、前記チャンバーの容積を変化させることができる。
【０００８】
より具体的には、以下のものを提供する。
【０００９】
（１）主に液体を浄化処理するフィルタユニットであって、  処理すべき液体を導入する導入口と、  該導入口を有する容器と、  該容器の少なくとも一部の上面に位置し、前記液体を下から上へとフィルタ処理するフィルタを備えるフィルタ部と、を備え、  前記容器が、前記導入口及び前記フィルタ部を除いて実質的に密封状態にあることを特徴とするフィルタユニット。
【００１０】
ここで、上記フィルタユニットは、重力を利用したフィルタ処理装置である。即ち、通常フィルタ処理で取り除かれるものは、比重が水よりも大きく沈降しやすい。しかしながら、本フィルタユニットでは、処理液体が入った容器の上面にあるフィルタ部により処理されるため、フィルタ処理で取り除かれるものが重力により沈降するため、フィルタに付いたまま残り難いという特徴がある。ここで上面とは、少なくともその下側に前記容器が規定する空間の一部が存在するような面であってよい。下側とは、その面の鉛直下及び／又は斜め下側を含んでよい。このようにすれば、比較的重い固体状の物や粒子状の物は、フィルタを通過しない場合でも、重力により沈降し易く、フィルタ面に付着し難くなる。このように処理水を下から上に移動させるためには、所定の水圧が必要であるが、これは公知のポンプ等により容易に達成できる。また、ポンプを使わない場合であっても、種々の方法で達成可能である。例えば、位置水頭を利用する方法である。
【００１１】
また、実質的に密封状態とは、上述の所定の水圧を準備するためのものであり、厳密には密封状態でなくとも、この所定の水圧が得られるのであれば、実質的に密封状態であるといえる。
【００１２】
（２）前記フィルタ部が前記導入口よりも上方にあることを特徴とする上記（１）記載のフィルタユニット。
【００１３】
前記フィルタ部と前記導入口の上下位置は、同じ若しくはどちらかが上でもよい。導入口が同じ若しくはより上方にある場合は、前記フィルタ部を通過できない固体状の物等が前記フィルタ部から離れて沈降できる空間（そこはフィルタ処理されるべき液体で充満されていてよいが）を確保することが好ましい。また、前記フィルタ部が前記導入口よりも上方にある場合は、フィルタ部にフィルタ処理で取り除かれるものが溜まり難く、目詰まりを防ぐことがより容易である。容器の形状は特に限定されないが、ほぼ中程に大きな空間を持つ容器において、その空間の上側にフィルタ部を、その空間の下側に導入口を備えるように構成することができる。
【００１４】
（３）更に、前記フィルタ部の上に前記液体がフィルタ処理されたものを保持する保持室と、  該保持室に連通する処理後の液体を排出する排出口とを備え、  前記排出口は、前記フィルタ部より上方にあることを特徴とする上記（１）又は（２）記載のフィルタユニット。
【００１５】
このような保持室により、処理後の液体を一時保持することができ、後工程が容易に行われる。また、排出口がこのフィルタ部より上方にあることにより、沈降し易い粒子等が、排出口から排出され難くなる。
【００１６】
（４）前記フィルタ部よりも上に、更に、もう１つのフィルタ部を備え、  前記保持室は、前記フィルタ部及び前記もう１つのフィルタ部以外には、実質的に密封状態にあることを特徴とする上記（１）から（３）のいずれか記載のフィルタユニット。
【００１７】
（５）主に液体を浄化処理するフィルタユニットであって、  実質的に密封された容器と、  該容器の下方に、処理される液体を導入する導入口と、  該容器の上方に、処理後の液体を排出する排出口と、  該容器内であって、該導入口と該排出口の間に、下から上へと処理される液体が移動することによりフィルタ処理するフィルタ部と、を備えることを特徴とするフィルタユニット。
【００１８】
処理される液体の導入、フィルタ処理、処理後の液体の排出という３つの処理が、重力に対抗するように下から上へと行われるため、フィルタの目詰まりを有効に防ぐことができる。
【００１９】
（６）前記容器内に、抗菌剤及び／又は浄化処理剤を、前記容器内に処理すべき液体であって前記フィルタによりフィルタ処理される前のものに接触するように備えることを特徴とする上記（１）から（５）のいずれか記載のフィルタユニット。
【００２０】
抗菌剤としては、公知のいかなるものも用いることができるが、フィルタ処理後の液体に残らないものが好ましい。例えば、銅や銀等の一般的に抗菌剤として知られている金属その他の物質の比較的粗い粉末、顆粒、小片、板、線等を用いることができる。
【００２１】
浄化処理剤としては、公知のいかなるものも用いることができるが、フィルタ処理後の液体に残らないものが好ましい。例えば、活性炭やゼオライト等、一般的に浄化処理剤として知られている物質の比較的粗い粉末、顆粒、小片、板、線等を用いることができる。
【００２２】
（７）上記（１）から（６）のいずれか記載のフィルタユニットを上下に複数連結したフィルタユニット群であって、  １のフィルタユニットにより処理された液体が、その上のフィルタユニット（又はその下のフィルタユニット）の前記導入口から導入されて処理されることを特徴とするフィルタユニット群。
【００２３】
このようにフィルタユニットを重ねることにより、空間を有効に用いることができる。ここで、前記導入口は、ほぼ円形のいわゆるパイプの口であってもよく、単なる開口部（形状は問わない）であってもよい。上のフィルタユニットで処理されることにより、より上方にフィルタ処理されてより浄化された液体が保持されることになる。一方、下側に配置されたフィルタユニットに前記１のフィルタユニットで処理された液体を、前記下のフィルタユニットの導入口（下のフィルタユニットの下方に配置される）へと導くようにすれば、前記下のフィルタユニットの高さや前記１のフィルタユニットの高さを利用して高い水圧を、前記下のフィルタユニットの導入口にかけることができる。このような構成にすれば、フィルタ通過のために、圧損があっても、水頭を利用した圧力をかけることができポンプが不要であったり、又は、ポンプ等のスペックをより低いものとすることができる。
【００２４】
（８）主に液体を浄化処理するフィルタユニットであって、  処理される液体を保持する容器と、  該容器の少なくとも一部を規定する壁であって、前記処理される液体の自由液面よりも高い壁と、  該壁を乗り越え、前記容器内から外へと延びる細孔通路と、を備え、  該細孔通路の容器内の端は、前記容器内で前記処理される液体に浸され、  該細孔通路の容器外の端は、前記処理される液体の自由液面より低い位置にあることを特徴とするフィルタユニット。
【００２５】
ここで、上記容器は、密封タイプに限らず、開放タイプのものも含むことができる。自由液面とは、特に力を加えることなくできる気体と液体の界面であってよい。重力以外に例えば遠心力のような非接触で及ぼすことができる力が働いている場での上記界面を含むことができる。
【００２６】
（９）前記容器内に、抗菌剤及び／又は浄化処理剤を、前記容器内の処理すべき液体に接触するように備えることを特徴とする上記（８）記載のフィルタユニット。
【００２７】
（１０）前記浄化処理剤は、活性炭を含むことを特徴とする上記（６）又は（９）記載のフィルタユニット。
【００２８】
（１１）上記（８）又は（９）記載のフィルタユニットで処理した液体を、前記導入口から導入することを特徴とする上記（１）から（６）のいずれか記載のフィルタユニット。
【００２９】
（１２）上記（１）から（６）、（８）から（１１）のいずれかに記載のフィルタユニットで処理した液体を更に逆浸透膜で処理して浄化する液体処理装置。
【００３０】
（１３）  上述のように処理された液体を、更に、逆浸透膜により処理することを特徴とする液体処理装置。
【００３１】
（１４）  上述のように処理された液体を、更に、透析フィルタを透過することを特徴とする液体処理装置。
【００３２】
（１５）  更に、光触媒により処理することを特徴とする液体処理装置。
【００３３】
（１６）  更に、オゾン発生器により処理することを特徴とする液体処理装置。
【発明の効果】
【００３４】
本発明によれば、小型でメンテナンスが容易な液体処理装置を提供することができる。
【発明を実施するための最良の形態】
【００３５】
以下に本発明の実施例について、図面に基づいてより詳しく説明する。
【００３６】
図１は、本発明の１つの実施例である屎尿等のうち主に液体を処理するフィルタユニット１０を示す。このフィルタユニット１０は、四角のバケツのような容器１２及びその上方開放端を覆う蓋１４から主に構成される。この図では、分かりやすくするために、容器１２及び蓋１４の壁等は、全て透明であるとして表されている。このようなことは、容器１２や蓋１４等を透明な材質（例えば、アクリル）により構成することにより容易に達成できる。
【００３７】
容器１２は、下から３つの室に分かれている。ここで、仕切り板１６、１８及びこれらに保持されるフィルタ２０、及び、仕切り板２２，２４及びこれらに保持されるフィルタ２６によって、それぞれ、第１の処理室２７と第２の処理室３８、及び、第２の処理室３８と第３の処理室４２に、分けられている。第２の処理室３８は、フィルタ２０によって処理された液体を保持する保持室としても機能する。
【００３８】
第１の処理室２７には、導入口２９（図２参照）が配置され、その導入口２９に連通する曲管２８から、矢印で示すように処理すべき液体が導入される。この第１の処理室２７には、処理される液体が接触できるように銅線３０及び活性炭３２が配置されている。
【００３９】
仕切り板１６及び１８は、周囲の辺を容器１２の内壁に密封状態で接着剤で結合されている。これらの仕切り板１６、１８は、ほぼ水平な状態で固定され、中程に窓のような開口３６が設けられている。この開口３６は、フィルタ２０の本体よりも小さいため、フィルタ２０は、これらの仕切り板１６、１８の間に固定される。フィルタ２０の本体の枠の上面及び下面は、それぞれ、仕切り板１６の上面及び仕切り板１８の下面に接触可能に設置されている。これらの面の間には、パッキン等のシール部材を配置して、液体が通過し難いようにされている。フィルタ２０の枠内は、仕切りにより２つに分けられ、それぞれの分割部には、フィルタ部品３４が配置される。これらのフィルタ部品３４は、不織布を蛇腹状に折り曲げたものが用いられている。
【００４０】
第１の処理室２７及び第２の処理室３８の間の第１のフィルタ２０の上には、第２の処理室３８が配置され、第１の処理室２７から移動した処理後の液体が、この第２の処理室３８に保持される。尚、処理のために必要な水圧は、図示しないポンプによって、曲管２８を通して加えられている。
【００４１】
第２の処理室３８の上方には、仕切り板２２及び２４に挟まれた第２のフィルタ２６が配置されている。この第２のフィルタ２６の保持方法及びその内容は、上述したフィルタ２０の場合と同じである。そのため、ここでは説明を省略する。
【００４２】
第２のフィルタ２６の上には、第３の処理室４２が配置され、フィルタ２０及び２６によりフィルタ処理された液体を保持し、第３の処理室４２に開けられた排水口４６から、このフィルタユニット１０から曲管４８を通って排出する。
【００４３】
このフィルタ処理は、重力とは逆向きに水が移動するため、所定の圧力が容器１２内にかけられる。そのため、この容器１２は密封状態にされている。例えば、容器１２自体は、一体的に作られており、導入口２９及び排出口４６、そして、上面以外は、密封状態であり、上面は、フランジ部に配置されたパッキン４４により蓋１４との間が密封状態にされている。これは、フランジ部をねじ（図示せず）等で締結することにより容易に実施できる。
【００４４】
図２は、図１の実施例の左右を逆にしたフィルタユニット１００を示す。これは、図１のフィルタユニット１０が対称形であれば、裏側から見ることにより、同様の図が得られる。構造等は、図１の場合と同じであるので、ここでは、説明を省略する。
【００４５】
図３は、図１及び図２のフィルタユニット１０、１００を重ねて作ったフィルタユニット群を用いた液体処理装置の概略を示す図である。フィルタユニット１０、１００は交互に上下に重ねられ、それぞれの排出口４６と導入口２９が、曲管２８、直管１１０、曲管２８を経由して接続されている。
【００４６】
矢印に示すように、処理すべき液体は、直管１１２からポンプ（図示せず）等により加圧され一番上のフィルタユニット１０に導入される。これまでに述べてきたように、この液体は、一番上のフィルタユニット１０で処理され、排出口４６を出て、曲管４８、直管１１０、曲管２８を経由して、２番目のフィルタユニット１００の導入口２９から第１の処理室に導入される。このとき、１番上のフィルタユニットの水頭が有効に活用されるため、特に、ポンプ等は必要とされない。（但し、オプションとして取り付けることもできる。）
【００４７】
２番目のフィルタユニット１００で処理された液体は、上述と同様に、排出口４６を出て、曲管４８、直管１１０、曲管２８を経由して、その下の３番目のフィルタユニット１０の導入口２９から第１の処理室に導入される。同様に、ポンプが不要であることはいうまでもない。
【００４８】
更に、３番目のフィルタユニット１０で処理された液体は、排出口４６を出て、曲管４８、直管１１０、曲管２８を経由して、一番下の４番目のフィルタユニット１００の導入口２９から第１の処理室に導入される。ここで処理された液体は、最後に排出口４６を出て、曲管４８を経由して、タンク１１４に貯められる。このように、１つのフィルタユニットの下方に設けられた導入口から所定の水圧をかけられて導入された処理液は、同フィルタユニットの上方の排出口から排出され、その処理水は、前記１つのフィルタユニットの下に備えられた別のフィルタユニットの下方に設けられた導入口に導かれるので、前記１つのフィルタユニットの高さと、前記別のフィルタユニットの高さに相当するだけの水頭による圧力（水圧）がその導入口において得られることになる。前記下のフィルタユニットの排出口は上方に配置されているので、このようなフィルタユニットの組合せでは、実質、前記１つのフィルタユニットの高さ分だけの水頭による圧力が利用できることになる。
【００４９】
タンク１１４には、直管１１６が入っており、ポンプで貯められた処理後の液体が吸い上げられ、逆浸透膜１２０による処理が行われる。この処理が終わった液体は、最後に管１２２を通って、タンク１３０に貯められる。この浄化された液体は、リサイクルされ、再び使用されることになる。詳細は、後述する。
【００５０】
図４は、別のタイプのフィルタユニット２５０を示す。水槽のような容器２５２は、仕切り板２５４、２５８により３つの処理室（第１の処理室２６０、第２の処理室２６２、第３の処理室２６４）に分割されている。仕切り板２５４、２５８は、いずれも、容器２５２の壁よりも低く、容器２５２内での水処理が行われても、容器２５２からあふれ出すことがないようにされている。
【００５１】
第１の処理室２６０には、処理すべき液体を導入する管２６６が配置され、液体が自由液面２７０まで貯められる。この第１の処理室２６０内には、処理液体に接触するように、銅線３０及び活性炭３２が配置されている。第２の処理室２６２とを仕切る仕切り板２５４にかかるように両室に垂れ下がっている細孔通路２５６は、その両端で自由液面２７０及び２７２（第２の処理室）に接触している。この細孔通路２５６は、例えば、キャピラリのような細孔を持つ線（好ましくは、フレキシブルなもの）を複数用いることで実現することができる。また、例えば、雑巾のような織布のようなもので、代行することができる。ここで、２つの自由液面は、第２の処理室の自由液面２７２の方が低くなっている。
【００５２】
第２の処理室２６２と第３の処理室２６４を仕切る仕切り板２５８を同様に跨ぐように、細孔通路２５６が設けられている。その両端は、上述と同様、両室２６２、２６４の液体に接触している。また、このときも、第３の処理室２６４の自由液面２７４が第２の処理室２６２の自由液面２７２よりも低くなっている。第３の処理室２６４には、排出管２６８が配置され、フィルタユニット２５０から排出される。
【００５３】
このフィルタユニット２５０に用いられる細孔通路２５６は、いわゆる毛細管の作用により、液体を移動させることができる。また、サイホンの原理でも液体を移動させることができる。
【００５４】
図１又は２に示すフィルタユニット１０、１００とこのフィルタユニット２５０を組み合わせて、液体処理装置を構成することができる。即ち、図４のフィルタユニット２５０を前工程として、及び／又は、後工程として用いることができる。あるいは、並列工程としても用いることができ、共に、後工程に逆浸透膜による処理を行うことができる。このようにすれば、それぞれのフィルタユニットの特徴を生かすことができる。
【００５５】
図５は、トイレ主要部を含む、トイレシステム全体５００を図解する。トイレ主要部は、トイレ本体３１１、及びそこに設置される便器３１２、便器３１２から延びる配水管３１４、配水管３１４中の排水等を検知するセンサ３１６、配水管３１４の端部に配置されるフランジ３１８、このフランジで接続される固液分離装置３２２から構成される。固液分離装置３２２は、フィルタ３３０及び奥壁３３２により囲まれた空間を、奥壁３３２の位置を変えることにより、拡大・縮小して、円滑に固液分離を行う。固液分離装置３２２の下には、排出管３３１が配置され、開口に備えられた蓋３２８を開けることにより、バイオ処理装置４５０に接続される。バイオ処理装置４５０は、主に固体成分を受けるが、適量の水分も同時に受けることが好ましい。バイオ処理装置４５０内には、攪拌手段としての大径及び小径のリボンスクリュー４９０及び４９２が設けられ、それぞれ回転することにより内容物を攪拌する。固液分離装置３２２で分離された液体は、排出管３３６を通り、更に管６０２を経由して、バッファとしての貯留槽６０４に蓄えられる。上述の汚水処理装置では、このような貯留槽はなかったが、備えたものも本発明の実施例に含むことができる。
【００５６】
貯留槽６０４に一旦蓄えられた液体は、ポンプ６０６により最適量ずつ汲み上げられ、供給管６０８から、液体浄化装置６００へと投入される。左側の一連のフィルタユニットで濾された液体は、ポンプ（図示せず）により再度汲み上げられ、右側の一連のフィルタユニットで処理される。右側の処理済液は、配管６８０を通って、光触媒等による更なる浄化槽６９０へと導かれる。この浄化槽６９０で処理された液体は、ポンプ６９２により汲み上げられ、トイレ本体３１１を洗浄する洗浄水のタンク７０２に投入される。
【００５７】
タンク７０２には、洗浄水を含む屎尿等の処理により減少した液体を補うための水のタンク７００が接続され、常時不足した水をタンク７０２に補うようにしている。タンク７０２の洗浄水は、バルブ７５０の開閉により、適宜、便器３１２の洗浄用に用いられる。
【００５８】
次に、上述してきたような、汚水処理システムを適用したトイレシステム５０２を図６から９により説明する。図６は右から見た断面図で、図７は、上面図（内部透視図）である。また、図８は、汚水処理装置を用いたトイレシステムの一部透過正面図である。さらに、図９は、左から見た断面図である。
【００５９】
トイレシステム５０２は、左横側に浄水装置６４０を縦型で備え、その右横（奥側）に光触媒フィルタ室６８９が配置される。その更に右側（図においては、トイレシステム５０２の背面側）には、貯水タンク６９１や蒸発室が配置される。このような配置とすることにより、狭い空間を有効に活用することができる。
【００６０】
トイレシステム５０２は、上面からの内部が見える図（図７）に示すように、トイレ本体５０４の下部に車椅子等のスロープを設けるための基底部５５０が所定の高さのある円盤若しくは円筒形状で配置される。ほぼ中央に、ほぼ球形をしたトイレ本体５０４が設置される。トイレ本体５０４の正面には、利用者が出入りできるドア５０６が配置され、室内には、やや前方にターンテーブルが配置される。その後方に便座を乗せた便器３１２が配置される。この便器３１２の上方に証明装置８０２が配置され、室内を照らすことができる。便器３１２の左側には、エアコン５８０が配置され、その下方に、水素発生装置を備える燃料電池５６２が配置される。この燃料電池により、トイレシステム５０２の動力（エアコン、照明など）をまかなうことができる。燃料電池５６２の前方、外からドアに向かった場合の右側には、ほぼ球形をしたトイレシステムの一部をくりぬいた部分があり、外側に開放された男性用小便器５１４が配置される。この小便器５１４を使用するためには、小便器用スロープ５１２を登り、小便器５１４の前に立つ必要がある。
【００６１】
便器３１２の下方には、固液分離装置３２２及びバイオ処理槽４５０が配置され、し尿が処理される。このバイオ処理槽４５０の背面には内部点検口があり、各機器の点検を行うことができる。尚、このトイレシステム５０２は水洗であるため、洗浄用の水は、貯水タンク６９１に蓄えられたものを用い、固液分離装置３２２により分離された汚水が、浄水装置６４０や光触媒フィルタ室６８９によって、浄化されて再利用される。
【００６２】
室内には、エアコン用ダクト５８０があり、また、水洗用の洗浄ボタン５０３が備えられ、ペーパーホルダー５０８が配置される。バイオ処理装置４５０には、モータが備えられ、内容物を攪拌する。スロープ格納スペース５１２ａよりスロープ５１２を格納することができる。
【００６３】
以上説明してきたように、本発明では、小型の屎尿等の汚水処理装置を提供する。これを適用することにより効率的に屎尿等を処理できる水洗トイレを提供できる。
【図面の簡単な説明】
【００６４】
【図１】本発明の実施例に関し、フィルタユニットを示す斜視図である。
【図２】本発明の実施例に関し、フィルタユニットを示す斜視図である。
【図３】図１及び２のフィルタユニットを用いた汚水処理装置のブロック図である。
【図４】本発明の実施例に関し、別のタイプのフィルタユニットを示す斜視図である。
【図５】本発明の実施例に関する汚水処理装置を用いたトイレシステムを説明する概略図である。
【図６】本発明の実施例に関し、汚水処理装置を用いたトイレシステムを図解する右から見た断面図である。
【図７】本発明の実施例に関し、汚水処理装置を用いたトイレシステムを図解する上面図（内部透視図）である。
【図８】本発明の実施例に関し、汚水処理装置を用いたトイレシステムの一部透過正面図である。
【図９】発明の実施例に関し、汚水処理装置を用いたトイレシステムを図解する左から見た断面図である。
【符号の説明】
【００６５】
１０    フィルタユニット
１２    容器
１４    蓋
１６、１８、２２、２４    仕切り板
２０、２６    フィルタ
２７    第１の処理室
２８、４８    曲管
２９    導入口
３０    銅線
３２    活性炭
３４    フィルタ部品
３６    開口
３８    第２の処理室
４２    第３の処理室
４４    パッキン
４６    排出口
１００    フィルタユニット
１１０、１１２    直管
１１４    タンク
１２０    逆浸透膜
１３０    タンク
２５０    フィルタユニット
２５２    容器
２５４、２５８    仕切り板
２５６    細孔通路
２６０    第１の処理室
２６２    第２の処理室
２６４    第３の処理室
２６６    管
２６８    排出管
２７０、２７２、２７４    自由液面
３１１    トイレ本体
３１２    便器
３１４    配水管
３１６    センサ
３２２    固液分離装置
４５０    バイオ処理槽
４９０    リボンスクリュー
５００    トイレシステム全体
５０２    トイレシステム
５０２    トイレ本体
５０６    ドア
５１２    スロープ
５１４    男性用小便器
５６２    燃料電池
６００    液体浄化装置
６０４    貯留槽
６０６    ポンプ
６４０    浄水装置
６８０    配管
６８９    光触媒フィルタ室
６９０    浄化槽
６９１    貯水タンク
６９２    ポンプ
７００、７０２    タンク
【図１】
2007152166.tif 000003
【図２】
2007152166.tif 000004
【図３】
2007152166.tif 000005
【図４】
2007152166.tif 000006
【図５】
2007152166.tif 000007
【図６】
2007152166.tif 000008
【図７】
2007152166.tif 000009
【図８】
2007152166.tif 000010
【図９】
2007152166.tif 000011